【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
１つまたは複数の広告と、予算と、初期のターゲット設定基準とを含む広告キャンペーンを受信する工程であって、該初期のターゲット設定基準は、該広告キャンペーンにおける１つまたは複数の広告を受信するソーシャル・ネットワーキング・システムのユーザの１つまたは複数の特性を定義する、広告受信工程と、
前記ソーシャル・ネットワーキング・システムによって格納されているデータを受信する工程であって、該データは、ターゲット設定基準と予算とを含む広告キャンペーンの履歴を記述する、データ受信工程と、
前記初期のターゲット設定基準と合致するターゲット設定基準を有し、かつ、前記１つまたは複数の完了した広告キャンペーンの予算未満の広告支出の額を有する１つまたは複数の完了した広告キャンペーンを識別することによって、１つまたは複数の完了した広告キャンペーンを識別する広告キャンペーン識別工程と、
受信した前記広告キャンペーンについて予測される支出額を決定する工程であって、予測される前記支出額は、
しきい値を満たすパフォーマンス測定基準を有する複数の同等の完了した広告キャンペーンを選択する工程と、
選択した前記同等の完了した広告キャンペーンに用いられる広告支出または予算と、予算のパーセンテージとに関する格納されている情報を取り出す工程と、
選択した前記同等の完了した広告キャンペーンについて、取り出した前記情報を平均する工程と、によって決定される、支出額決定工程と、
受信した前記広告キャンペーンの前記予算を、前記広告キャンペーンの予測される前記支出額と比較する工程であって、該比較によって、予測される前記支出額が受信した前記広告キャンペーンの前記予算より大きいか小さいかに関する判定が得られる、比較工程と、
前記比較に基づいて、前記広告キャンペーンに関する前記初期のターゲット設定基準を変更するための示唆を決定する工程であって、
前記初期のターゲット設定基準からの１つまたは複数の特性を満たす現在ターゲット設定されているユーザのグループを識別する工程と、
現在ターゲット設定されているユーザの前記グループを１つまたは複数のセグメントにセグメント化する工程であって、セグメント内のユーザは、前記ソーシャル・ネットワーキング・システムによって格納されている広告キャンペーンの履歴を記述する前記デー
タに基づき前記ソーシャル・ネットワーキング・システムによって選択される少なくとも１つの共通の特性を有する、前記工程と、
前記ソーシャル・ネットワーキング・システムによって格納されている広告キャンペーンの履歴を記述する前記データに基づき前記初期のターゲット設定基準に対する変更を示唆する１つまたは複数のセグメントを選択する工程と、を含む、示唆決定工程と、
前記示唆を、広告主に関連付けられた電子デバイスに送信する工程であって、予測される前記支出額が受信した前記広告キャンペーンの前記予算より小さい場合、前記示唆によって現在ターゲット設定されているユーザの数を増やすことが識別され、予測される前記支出額が受信した前記広告キャンペーンの前記予算より大きい場合、前記示唆によって現在ターゲット設定されているユーザの数を減らすことが識別される、示唆送信工程と、を備える方法。
【請求項２】
前記広告主から変更された広告キャンペーンを受信する工程であって、該変更された広告キャンペーンは、前記示唆に応答して変更されたターゲット設定基準を含む工程をさらに備える、請求項１に記載の方法。
【請求項３】
前記初期のターゲット設定基準を変更するための示唆は、前記ターゲット設定基準によって定義される前記広告キャンペーンにおける１つまたは複数の広告を受信するソーシャル・ネットワーキング・システムのユーザの１つまたは複数の特性の範囲を拡げることによって、前記初期のターゲット設定基準を広げる示唆を含む請求項１に記載の方法。
【請求項４】
前記初期のターゲット設定基準を変更するための示唆は、前記ターゲット設定基準によって定義される前記広告キャンペーンにおける１つまたは複数の広告を受信するソーシャル・ネットワーキング・システムのユーザの１つまたは複数の特性の範囲を狭めることによって、前記初期のターゲット設定基準を狭める示唆を含む請求項１に記載の方法。
【請求項５】
前記少なくとも１つの共通の特性は、前記ソーシャル・ネットワーキング・システムのユーザに関連付けられている人口統計情報、地理的情報、トピック情報、またはつながりのタイプ情報のうちの少なくとも１つを含む、請求項１に記載の方法。
【請求項６】
前記少なくとも１つの共通の特性は、前記初期のターゲット設定基準に関連付けられているターゲット設定基準を含む１つまたは複数の同等の完了した広告キャンペーンに含まれるターゲット設定基準から決定される、請求項１に記載の方法。
【請求項７】
前記変更は、前記初期のターゲット設定基準を狭めることを含む、請求項１に記載の方法。
【請求項８】
前記変更は、前記初期のターゲット設定基準を広めることを含む、請求項１に記載の方法。
【請求項９】
前記パフォーマンス測定基準は、前記完了した広告キャンペーンからの広告が前記ソーシャル・ネットワーキング・システムのユニーク・ユーザに配信された頻度を含む請求項１に記載の方法。
【請求項１０】
前記パフォーマンス測定基準は、前記完了した広告キャンペーンにおける広告に関するクリック・スルー・レートを含む請求項１に記載の方法。
【請求項１１】
前記広告キャンペーン識別工程は、
しきい値を満たすパフォーマンス測定基準を有する、完了した広告キャンペーンを識別する工程を含む、請求項１に記載の方法。
【請求項１２】
前記ソーシャル・ネットワーキング・システムによって格納されている広告キャンペーンの履歴を記述する前記データは、供給される広告に関して、
ターゲット設定タイプと、ターゲット設定された客層対前記予算の支出されたパーセンテージと、ターゲット設定された前記客層に関する広告支出のパーセンテージ対変換率と、を含む請求項１に記載の方法。
【請求項１３】
前記支出額決定工程は、
同等の完了した広告キャンペーンの前記予算の少なくともしきい値額を支出している複数の同等の完了した広告キャンペーンを選択する工程を含む、請求項１に記載の方法。
【請求項１４】
前記予算の前記しきい値額は、前記予算の９０パーセントから９９パーセントまでの範囲内である、請求項１３に記載の方法。
【請求項１５】
広告システムから広告キャンペーンを受信する工程であって、該広告キャンペーンは、１つまたは複数の広告と、予算と、初期のターゲット設定基準とを含み、該初期のターゲット設定基準は、該広告キャンペーンからの１つまたは複数の広告を受信するソーシャル・ネットワーキング・システムのユーザの１つまたは複数の特性を定義する、広告キャンペーン受信工程と、
前記ソーシャル・ネットワーキング・システムによって格納されているデータを取り出す工程であって、該データは、ターゲット設定基準と予算とを含む広告キャンペーンの履歴を記述する、データ取出工程と、
前記初期のターゲット設定基準と合致するターゲット設定基準を有し、かつ、その予算未満の広告支出の額を有する１つまたは複数の完了した広告キャンペーンを識別することによって、１つまたは複数の同等の広告キャンペーンの履歴を識別する工程と、
受信した前記広告キャンペーンについて予測される支出額を決定するための工程であって、予測される前記支出額は、
しきい値を満たすパフォーマンス測定基準を有する複数の同等の完了した広告キャンペーンを選択する工程と、
選択した前記同等の完了した広告キャンペーンに用いられる広告支出または予算と、予算のパーセンテージとに関する格納されている情報を取り出す工程と、
選択した前記同等の完了した広告キャンペーンについて、取り出した前記情報を平均する工程と、によって決定される、支出額決定工程と、
受信した前記広告キャンペーンの前記予算を、前記広告キャンペーンの予測される前記支出額と比較する工程であって、該比較によって、予測される前記支出額が受信した前記広告キャンペーンの前記予算より大きいか小さいかに関する判定が得られる、比較工程と、
前記比較に基づいて、前記広告キャンペーンに関する前記初期のターゲット設定基準を変更するための示唆を決定する工程であって、
前記初期のターゲット設定基準からの１つまたは複数の特性を満たす現在ターゲット設定されているユーザのグループを識別する工程と、
現在ターゲット設定されているユーザの前記グループを１つまたは複数のセグメントにセグメント化する工程であって、セグメント内のユーザは、前記ソーシャル・ネットワーキング・システムによって格納されている広告キャンペーンの履歴を記述する前記データに基づき前記ソーシャル・ネットワーキング・システムによって選択される少なくとも１つの共通の特性を有する、前記工程と、を含む、示唆決定工程と、
前記示唆を、広告主に関連付けられた電子デバイスに送信する工程であって、前記示唆は、予測される前記支出額が受信した前記広告キャンペーンの前記予算より小さい場合、現在ターゲット設定されているユーザの数を増やすこと、または予測される前記支出額が受信した前記広告キャンペーンの前記予算より大きい場合、前記示唆によって現在ターゲ
ット設定されているユーザの数を減らすことを含む、示唆送信工程と、を備える方法。